(57)【特許請求の範囲】
【請求項１】
一端が開口するケース本体と、このケース本体に対して被収容材を出没可能に支持するリフィルケースとを含むケースと、当該ケースに嵌合して前記開口側を閉塞するキャップと、前記ケース本体の外周側に装着された操作部材とを備えた収納容器において、
前記操作部材は、前記キャップの嵌合解除と、前記リフィルケースの取り出しとを選択的に行えるように設けられていることを特徴とする収納容器。
【請求項２】
前記操作部材は、前記ケース本体の軸方向を横切る仮想直線上の二箇所を回転中心として回転可能に支持された環状体により構成され、
前記操作部材を一方向に回転操作することで前記キャップの嵌合を解除可能とする一方、反対方向に回転操作することで前記リフィルの取り出しを可能とすることを特徴とする請求項１記載の収納容器。
【請求項３】
前記操作部材は、前記ケース本体の外周面を囲む閉ループ形状に設けられていることを特徴とする請求項１記載の収納容器。
【請求項４】
前記操作部材の操作を禁止するロック部材を更に含むことを特徴とする請求項１記載の収納容器。
【請求項５】
前記操作部材の操作を禁止するロック部材を更に含むことを特徴とする請求項２記載の収納容器。
【請求項６】
前記操作部材の操作を禁止するロック部材を更に含むことを特徴とする請求項３記載の収納容器。
【請求項７】
前記ロック部材は、前記ケース本体の外周側で前記操作部材の下部に併設されたリング状をなし、前記操作部材の操作禁止位置、前記キャップの嵌合解除許容位置、及びリフィルケースの取出操作許容位置の各位置で選択的に停止可能となる状態で、前記ケース本体の周方向に沿って回転可能に設けられていることを特徴とする請求項４記載の収納容器。
【請求項８】
前記ロック部材は、前記ケース本体の外周側で前記操作部材の下部に併設されたリング状をなし、前記操作部材の操作禁止位置、前記キャップの嵌合解除許容位置、及びリフィルケースの取出操作許容位置の各位置で選択的に停止可能となる状態で、前記ケース本体の周方向に沿って回転可能に設けられていることを特徴とする請求項５記載の収納容器。
【請求項９】
前記ロック部材は、前記ケース本体の外周側で前記操作部材の下部に併設されたリング状をなし、前記操作部材の操作禁止位置、前記キャップの嵌合解除許容位置、及びリフィルケースの取出操作許容位置の各位置で選択的に停止可能となる状態で、前記ケース本体の周方向に沿って回転可能に設けられていることを特徴とする請求項６記載の収納容器。
【請求項１０】
前記ロック部材は、周方向に沿う一定の角度範囲に傾斜部を備え、当該傾斜部の位置を前記ケース本体の外周に沿って変更することで前記操作禁止位置、嵌合解除許容位置、取出操作許容位置が選択されることを特徴とする請求項７記載の収納容器。
【請求項１１】
前記ロック部材は、周方向に沿う一定の角度範囲に傾斜部を備え、当該傾斜部の位置を前記ケース本体の外周に沿って変更することで前記操作禁止位置、嵌合解除許容位置、取出操作許容位置が選択されることを特徴とする請求項８記載の収納容器。
【請求項１２】
前記ロック部材は、周方向に沿う一定の角度範囲に傾斜部を備え、当該傾斜部の位置を前記ケース本体の外周に沿って変更することで前記操作禁止位置、嵌合解除許容位置、取出操作許容位置が選択されることを特徴とする請求項９記載の収納容器。
【請求項１３】
前記傾斜部の反対側に前記ロック部材の回転操作部が一体に突設されていることを特徴とする請求項１０記載の収納容器。
【請求項１４】
前記傾斜部の反対側に前記ロック部材の回転操作部が一体に突設されていることを特徴とする請求項１１記載の収納容器。
【請求項１５】
前記傾斜部の反対側に前記ロック部材の回転操作部が一体に突設されていることを特徴とする請求項１２記載の収納容器。
【発明の詳細な説明】
【技術分野】
【０００１】
本発明は、例えば、棒状をなす固形糊を被収容材としてケースの開口より出没可能に設けた収納容器に係り、更に詳しくは、ケースに装着されるキャップの嵌合解除と、被収容材を収容するリフィルケースの取り出しとを、共通の操作部材で選択的に行うことのできる収納容器に関する。
【背景技術】
【０００２】
従来より、外観形状が筒状となるケースに棒状の固形糊を被収容材として収容し、当該固形糊をケースの一端側に設けられた開口に対して出没可能に設けた収納容器が知られている。この収納容器は、ケースの開口を閉塞するためのキャップを備えており、当該キャップは、ケースの開口部側外周に嵌合する構造が採用されている。
この種のキャップは、ケースとの嵌合構造により、不用意な脱落が防止できる一方、収納容器全体の長さに対して相対的に短い筒状をなしているため、嵌合を解除する際に手指が滑り易く、キャップを取り外す際の操作負担を伴う、という不都合がある。【０００３】
そこで、このような不都合を解消するために、本出願人により、ケースとキャップとの嵌合を解除して当該キャップをケースから取り外し易くした収納容器が提案されている。
【先行技術文献】
【特許文献】
【０００４】
【特許文献１】特開２００７−２６１５９２号公報
【発明の概要】
【発明が解決しようとする課題】
【０００５】
前記特許文献１に記載された収納容器は、操作部材に操作力を付与することで、キャップの嵌合を容易に解除することができ、また、ケースの外周（周壁）部分に設けられた押圧部材を押圧操作することで、ケース本体とリフィルケース（カートリッジ）との相互係り合いを解除してリフィルケースを取り出しできるように構成されている。【０００６】
しかしながら、特許文献１に記載された収納容器は、キャップの嵌合解除と、リフィルケースの取り出しとを行うために、前記操作部材と、押圧部材とを必要とし、構成が複雑になるという不都合の他、キャップの嵌合解除を行う場合と、リフィルケースの取り出しを行う場合の操作箇所が異なり、使い易さという点において、若干の改善の余地が残されていた。【０００７】
［発明の目的］
本発明の目的は、ケースの開口側に嵌合するキャップの嵌合解除操作と、ケース本体に収容されたリフィルケースの取り出し操作とを、共通する操作部材を用いて選択的に行うことができる収納容器を提供することにある。
また、本発明の目的は、前記操作部材の操作を必要に応じて禁止することのできる収納容器を提供することにある。
【課題を解決するための手段】
【０００８】
前記目的を達成するため、本発明は、特許請求の範囲記載の構成を採用した。具体的には、一端が開口するケース本体と、このケース本体に対して被収容材を出没可能に支持するリフィルケースとを含むケースと、当該ケースに嵌合して前記開口側を閉塞するキャップと、前記ケース本体の外周側に装着された操作部材とを備えた収納容器において、
前記操作部材は、所定の操作を行うことにより、前記キャップの嵌合解除と、前記リフィルケースの取り出しとを選択的に行えるように設けられる、という構成を採っている。【０００９】
本発明において、前記操作部材は、前記ケース本体の軸方向を横切る仮想直線上の二箇所を回転中心として回転可能に支持された環状体により構成され、
前記操作部材を一方向に回転操作することで前記キャップの嵌合を解除可能とする一方、反対方向に回転操作することで前記リフィルケースの取り出しを可能とする、という構成を採っている。【００１０】
前記操作部材は、前記ケース本体の外周面を囲む閉ループ形状に設けられる構成を採用することが好ましい。【００１１】
また、本発明は、前記操作部材の操作を禁止するロック部材を更に含む、という構成を採っている。【００１２】
前記ロック部材は、前記ケース本体の外周側で前記操作部材の下部に併設されたリング状をなし、前記操作部材の操作禁止位置、前記キャップの嵌合解除許容位置、及びリフィルケースの取出操作許容位置の各位置で選択的に停止可能となる状態で、前記ケース本体の周方向に沿って回転可能に設けられる、という構成を採っている。【００１３】
前記ロック部材は、周方向に沿う一定の角度範囲に傾斜部を備え、当該傾斜部の位置を前記ケース本体の外周に沿って変更することで前記操作禁止位置、嵌合解除許容位置、取出操作許容位置が選択される、という構成を採ることができる。【００１４】
また、前記傾斜部の反対側に前記ロック部材の回転操作部が一体に突設される、という構成を採るとよい。
【発明の効果】
【００１５】
本発明によれば、キャップの嵌合解除と、リフィルケースの取り出し操作とを単一の操作部材を共用して選択的に行うことができる。【００１６】
また、操作部材の回転方向を一方向と反対方向に回転させるだけで、キャップ嵌合解除とリフィルケースの取り出しとを行うことができるので、操作に簡便性を付与することが可能となる。【００１７】
更に、操作部材が閉ループ形状であることで、操作部材に強度を付与することができるとともに、ケース本体からの脱落防止も図ることができる。【００１８】
また、ロック部材を含む構成を採用することで、操作部材に対して不用意な操作力が付与されても、キャップ嵌合解除やリフィルケースがケース本体から飛び出してしまうようなおそれを防止することができる。【００１９】
更に、前記リング部材をケース本体の周方向に沿って所定位置に保つことで、操作禁止位置、嵌合解除許容位置、及び取出操作許容位置を選択することができる。【００２０】
また、ロック部材に傾斜部を設けた構成では、当該傾斜部の位置を前記各位置に選択するだけで足りるため、ロック部材の位置を視覚を通じて認識することができ、また、操作部材の操作の許容と禁止とを容易に選択できる態様を簡易な構成によって提供することができる。【００２１】
更に、傾斜部の反対側に回転操作部を突設した構成では、当該回転操作部に対して操作力を付与し易くなる。
【図面の簡単な説明】
【００２２】
【図１】本実施形態に係る収納容器の全体構成を示す概略正面図。
【図２】前記収納容器の縦断面図。
【図３】（Ａ）はケース本体の平面図、（Ｂ）は同正面図。
【図４】（Ａ）は図３（Ａ）のＡ−Ａ線断面図、（Ｂ）は図３（Ａ）のＢ−Ｂ線断面図。
【図５】（Ａ）はリフィルケースの平面図、（Ｂ）は同正面図、（Ｃ）は同底面図
【図６】（Ａ）は図５（Ａ）のＡ−Ａ線断面図、（Ｂ）は図５（Ａ）のＢ−Ｂ線断面図。
【図７】軸部材を一部断面した正面図。
【図８】固形糊を支持する昇降部材の断面図。
【図９】（Ａ）は操作摘みの正面図、（Ｂ）はその縦断面図。
【図１０】（Ａ）はキャップの正面図、（Ｂ）はその縦断面図。
【図１１】（Ａ）は操作部材の平面図、（Ｂ）はその正面図、（Ｃ）は同縦断面図、（Ｄ）は同底面図。
【図１２】（Ａ）はロック部材の平面図、（Ｂ）はその正面図、（Ｃ）は図１２（Ｂ）の左側面図、（Ｄ）は同右側面図、（Ｅ）はロック部材の縦断面図、（Ｆ）は同底面図。
【図１３】操作部材によりリフィルケースの取り出しを行う状態を示す説明図。
【図１４】ロック部材をキャップ嵌合解除許容位置にした状態を示す説明図。
【図１５】操作部材によりキャップの嵌合を解除した状態を示す説明図。
【図１６】ロック部材により操作部材の操作を禁止した状態を示す説明図。
【符号の説明】
【００２３】
１０  収納容器
１１  ケース本体
１２  固形糊（被収容材）
１３  リフィルケース
１５  ケース
１８  キャップ
２０  操作部材
２１  ロック部材
４０  開口
８０  環状体
９０  傾斜部
９１  回転操作部。
【発明を実施するための形態】
【００２４】
以下、本発明が棒状の固形糊を被収容材とした収納容器に適用された実施形態について、図面を参照しながら説明する。
【００２５】
図１及び図２に示されるように、本実施形態に係る収納容器１０は、ケース本体１１と、このケース本体１１に収容されるとともに、被収容材としての棒状の固形糊１２を支持するリフィルケース１３とからなるケース１５と、当該ケース１５の図中下端部に回転可能に取り付けられた操作摘み１６と、ケース１５の上部外周側に嵌合するキャップ１８と、キャップ１８の嵌合解除と、リフィルケース１３の取り出しとを選択的に可能とする操作部材２０と、ケース１１の外周側で、操作部材２０の下部に併設されたロック部材２１とを備えて構成されている。
【００２６】
前記ケース本体１１は、図２及び図３に示されるように、略筒状をなし、その上端側の軸方向（上下方向）に沿う一定領域の外径寸法が僅かに小さくされて前記操作部材２０の取付領域１１Ａとして形成されている。取付領域１１Ａの外周略１８０度間隔位置、すなわち、ケース１５の軸方向を横切る仮想直線上の二箇所には、操作部材２０の回転中心を形成する突軸２７が形成されている。これら突軸２７は、先端の一部領域が突軸２７の軸線に対して傾いた傾斜面２７Ａとされ、操作部材２０を前記取付領域１１Ａ回りに位置させて平面内で回転させたときに、前記傾斜面２７Ａから操作部材２０の後述する軸受穴に容易に嵌合できるようになっている。また、前記取付領域１１Ａにおいて、突軸２７の下方位置には、ロック部材２１の平面内における回転位置を保持するための凹み２８がケース本体１１の周方向９０度間隔毎に形成されている。
【００２７】
前記ケース本体１１の底部３０は、段部３１を介して上下に貫通する孔３２を備えた形状をなし、当該孔３２を貫通する状態で、固形糊１２内に延びる螺旋軸３４を備えた回転部材３５が配置され、当該回転部材３５の下方において、底部３０下に配置される操作摘み１６が係り合うように設けられている。ここで、回転部材３５の外周側には、固形糊１２の下部を支持する昇降部材３７が相対回転可能に配置され、当該昇降部材３７の昇降によって固形糊１２がケース１５の上端に位置する開口４０に対して出没自在となっている。
【００２８】
回転部材３５は、図７に示されるように、下端側の外径が二段階で大きくなるスカート部５６を備え、当該スカート部５６の内周側に周方向所定間隔毎に設けられた溝５７が設けられている。また、昇降部材３７は、図８に示されるように、前記螺旋軸３４に係り合う雌ねじ部５８を備えた内筒５９と、この内筒５９の下部にテーパ部６０を介して連なる外筒６２とを備えて構成されている。
【００２９】
前記ケース本体１１の内周には、図４に示されるように、周方向１８０度対称位置に上下方向リブ４２が配置されているとともに、これら上下方向リブ４２に対して周方向９０度位置ずれした下方には、リフィルケース１３の下部に係り合って当該リフィルケース１３の位置を保持する突条部４４が設けられている。
【００３０】
前記リフィルケース１３は、図５及び図６にも示されるように、上端に開口４０を有する筒状のリフィル本体４５と、当該リフィル本体４５の上端側に設けられた大径部４６と、この大径部４６の上方に位置する先細の先端部４７と、リフィル本体４５の下端に連設された小径部４８とを備えて構成されている。小径部４８の上方には上端部に割り溝５０Ａを備えたテーパ筒状部５０が連設されている。リフィルケース１３の内周には、径方向１８０度対称位置に上下方向に延びる凹状部５１が形成されており、当該凹状部５１外面側には凹溝５２が形成され、この凹溝５２内に、ケース本体１１の内周に設けられた上下方向リブ４２が位置するようになっている。従って、ケース本体１１内にリフィルケース１３を収容した状態において、ケース本体１１とリフィルケース１３の周方向相対移動が規制される一方、軸方向相対移動が許容される。
【００３１】
前記凹溝５２に対して周方向に９０度ずれた位置において、リフィル本体４５の下端部には、フック部材５４が設けられており、当該フック部材５４がケース本体１１の内周に設けられた突条部４４に係り合い可能となっている。
【００３２】
また、前記フック部材５４の上方において、前記大径部４５の直下には、平面内で突出する突片５５が周方向１８０度対称位置に設けられている。
【００３３】
前記操作摘み１６は、図９に示されるように、前記回転部材３５のスカート部５６の内周に設けられた溝５７に噛み合う歯部６５を外周に備えた筒軸６６と、当該筒軸６６の下端に連なる下端開放型の摘み筒６８とからなり、この摘み筒６８の外周には滑り止め用の凹部６８Ａが形成されている。
【００３４】
前記キャップ１８は、図１０に示されるように、頂壁７０と、当該頂壁７０の外周側に位置する筒部７１とにより構成されている。筒部７１の外周中間位置と下端位置には周方向に延びるリブ７４が形成されている。また、筒部７１の内周側には、周方向に延びる内側凸部７５が形成され、当該内側凸部７５は、リフィルケース１３の上部大径部４６にクリック動作を伴って嵌合可能となっている。
【００３５】
前記操作部材２０は、一方向に回転操作することで、キャップ１８の嵌合解除と、反対方向に回転操作することでリフィルケース１３の取り出しとを選択的に行うようになっている。この操作部材２０は、図１１に示されるように、ケース本体１１の軸方向を横切る仮想直線上の二箇所に位置する突軸２７を回転中心として回転可能に支持されるとともに、ケース本体１１の外周面を囲む閉ループ状の環状体８０により構成されている。環状体８０は、平面視楕円に近似した外径を備えているとともに、前記突軸２７を受容する軸受穴８１を単軸側方向の両側に備え、これら軸受穴８１を結ぶ仮想直線に対して平面内で直交する方向の一端側に操作力付与部８２が設けられている。操作力付与部８２には、内周側に迫り出した段落ち部８３が設けられており、当該段落ち部８３の上面側に、リフィルケース１３の突片５５が着座するようになっている。また、操作力付与部８２の反対側は、上端位置が次第に低位置となるように傾斜した傾斜上縁部８４とされ、当該傾斜上縁部８４の図１１（Ａ）中右端位置がキャップ１８の嵌合を解除する際の力を付与する一対の力点部Ｐを構成するようになっている。
【００３６】
前記ロック部材２１は、ケース本体１１の外周側で操作部材２０の下部に併設されたリング状に設けられ、操作部材２０の操作禁止位置、キャップ１８の嵌合解除許容位置、及びリフィルケース１３の取出操作許容位置の各位置で選択的に停止可能となる状態で、ケース本体１１の周方向に沿って回転可能に設けられている。これを更に詳述すると、ロック部材２１は、全体的には操作部材２０の外形に類似した形状を備えており、上縁側において、周方向に沿う一定の角度範囲内で上端位置が次第に低くなる傾斜部９０を備え、その反対側にロック部材２１の回転操作部９１を一体に備えた形状に設けられている。ここで、傾斜部９０の正面視における長さは、操作部材の傾斜上縁部８４の長さよりも長く設定されている。また、回転操作部９１は、片状をなし、その面が鉛直面内に位置する状態で突設されている。この回転操作部９１に対して反対側に位置するロック部材２１の内周面部分には突起９４が設けられ、当該突起９４は、ケース本体１１の前記取付領域１１Ａに形成された凹み２８にクリック動作を伴って係り合い可能に設けられ、これにより、ケース本体１１の外周周方向において、一定角度毎、本実施形態では９０度毎に静止位置を保持しうるようになっている。
【００３７】
次に、本実施形態における収納容器１０の組立方法について説明したのち、キャップ１８の嵌合解除と、リフィルケース１３の取り出し要領について、図１３ないし１６をも参照しながら説明する。
【００３８】
収納容器１０を組み立てる際には、ケース本体１１の底部３０に設けられた孔３２に操作摘み１６の軸６６を挿入する。また、ケース本体１１の上部取付領域１１Ａに、ロック部材２１及び操作部材２０を上端から順次挿入してこれらをケース本体１１に組み合わせる。
この一方、昇降部材３７に棒状の固形糊１２を支持させた状態で、当該昇降部材３７の内筒５９を貫通するように回転部材３５をねじ込んでおき、これをリフィルケース１３内に収容する。
次いで、前記リフィルケース１３をケース本体１１内に収容し、キャップ１８を装着することにより収納容器１０の組立を完了することができる。この際、図１６に示されるように、ロック部材２１は、回転操作部９１が操作部材２０の軸受穴８１の真下に位置するように初期位置を設定され、これにより、操作部材２０は、操作力付与部８２側の下端縁と、操作力付与部８２の反対側の下端縁とがロック部材２１の傾斜部９０を除く上縁に当接した相対位置となる。従って、操作部材２０は、突軸２７の軸線を回転中心とした回転が規制され、キャップ１８の嵌合解除と、リフィルケース１３の取り出し操作とを禁止する操作禁止位置に保たれる。この際、ロック部材２１は、内周面に設けられた突起９４がケース本体１１の凹み２８に嵌合している状態にあり、操作力を付与しない限り、平面内で回転してしまうようなことはない。
【００３９】
固形糊１２を消費してリフィルケース１３をケース本体１１から取り出す場合には、図１３に示されるように、ロック部材２１の操作力付与部９１を摘んで平面内で９０度回転させて取出操作許容位置に設定すればよい。このとき、前記突起９４は、ケース本体１１の周方向に沿って９０度ずれた位置にある凹み２８に嵌合して停止することができ、クリック感を得ることで、使用者はロック部材２１の停止位置を認識することができる。
【００４０】
このようにしてロック部材２１の位置を回転させると、当該ロック部材２１の傾斜部９０は、操作部材２０の傾斜上縁部８４の下に対応する位置となる。そして、操作力付与部８２を上方に押し上げるように操作力を付与することで、操作部材２０の段落ち部８３に着座するようにリフィルケース１３の突片５５が係り合っていることから、当該リフィルケース１３が上方に押し上げられ、同時に、下部のフック部材５４と本体ケース１１内周面の突条部４４との係り合いが解除されてリフィルケース１３が本体ケース１１の上部から相対的に突出する。従って、その突出した部分を指で摘んで引き出すようにすることで、リフィルケース１３と、これに組み合わされている昇降部材３７及び回転部材３５を一体として取り出すことができ、別途のリフィルケース１３を本体ケース１１内に再び収容することができる。
【００４１】
固形糊１２を使用する場合には、つまり、リフィルケース１３を取り出すことなく、キャップ１８の嵌合を解除する場合には、図１４に示されるように、ロック部材２１を図１３に示される位置に対して１８０度回転させて嵌合解除許容位置に設定すればよい。これにより、傾斜部９０は操作部材２０の操作力付与部８２側に位置することとなる。従って、図１５に示されるように、操作力付与部８２を下方に押し下げて回転させると、傾斜上縁部８４の上位側となる力点Ｐがキャップ１８のリブ７４に二箇所で接して下方から押し上げるように作用しながら突片５５にリブ７４が乗っかることで回転支点になりながら、前記キャップ１８とリフィルケース１３の大径部４６との嵌合を解除し、これにより、キャップ１８の取り外しが可能となる。
【００４２】
従って、このような実施形態によれば、単一の操作部材２０を共用する状態で、キャップ１８の嵌合解除と、リフィルケース１３の取り出しとを選択的に行うことができる、という効果を得る。
また、ロック部材２１を設けたことにより、意図しないキャップ嵌合解除と、リフィルケース１３の取り出しとを禁止することができる一方で、その禁止を解除する操作もロック部材２１の回転操作のみで足りる、という簡便性を付与することができる。
【００４３】
本発明を実施するための最良の構成、方法、被収容材などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した物品の名称での記載は、本発明に含まれるものである。
【００４４】
例えば、前記実施形態では、操作部材２０にロック部材２１を併設した場合を図示、説明したが、本発明は、ロック部材２１を省略した収納容器とすることを妨げるものではない。また、操作部材２０の操作を禁止する構成は、図示のロック部材２１に限定されるものではなく、ロック部材２１自体をケース本体１５に対して相対移動させることや、操作部材２０自体の位置を変更すること等によって当該操作部材の操作禁止とその解除を可能とすることも可能である。
【００４５】
また、リフィルケース１３をケース本体１１内の所定位置に保つために、リフィルケース１３の下部にフック部材５４を設け、このフック部材５４を本体ケース１１の突条部４４に係り合わせる構成を図示、説明したが、本発明はこれに限定されるものではなく、リフィルケース１３の上部外周に適当な凸部を設け、当該凸部に嵌合する凹部をケース本体１１の内周面部分に設けることでもよい。
【００４６】
更に、前記操作部材２０は、閉ループ状の環状体８０により形成したが、当該環状体８０は、一部が切除されたＣ字状であってもよい。
【００４７】
また、前記被収容材は、固形糊１２に限定されるものではなく、化粧材等を対象とすることもできる。
【産業上の利用分野】
【００４８】
本発明は、例えば、棒状の固形糊等を出没可能とする収納ケースに利用することができる。
【図１】
0005510541.tif 000002
【図２】
0005510541.tif 000003
【図３】
0005510541.tif 000004
【図４】
0005510541.tif 000005
【図５】
0005510541.tif 000006
【図６】
0005510541.tif 000007
【図７】
0005510541.tif 000008
【図８】
0005510541.tif 000009
【図９】
0005510541.tif 000010
【図１０】
0005510541.tif 000011
【図１１】
0005510541.tif 000012
【図１２】
0005510541.tif 000013
【図１３】
0005510541.tif 000014
【図１４】
0005510541.tif 000015
【図１５】
0005510541.tif 000016
【図１６】
0005510541.tif 000017